(57)【特許請求の範囲】
【請求項１】
ヘッドの支持部材に装着されたステータと、前記支持部材の上部の上部支持部材に装着された上部ベアリング及び前記支持部材の下部の下部支持部材に装着された下部ベアリングによって支持され、前記ステータに対向するロータを設け、下部に工具を保持するホルダが装着された回転軸と、前記上部支持部材に装着された接続部に接続される供給配管を介して接続されたマイクロフォグ供給装置と、前記接続部に接続され、前記上部ベアリングにマイクロフォグを供給するために、前記上部支持部材に形成された上部通路と、前記接続部に接続され、前記下部ベアリングにマイクロフォグを供給するために、前記支持部材及び下部支持部材に形成された下部通路と、前記上部ベアリングの端部に装着されたカバーと、前記下部ベアリングの下部の前記回転軸の周囲に装着されたアイソレータと、前記上部支持部材に装着された回収配管と、前記上部支持部材に形成され、前記上部ベアリングと前記回収配管に接続された第１の回収通路と、前記下部支持部材と前記支持部材に形成され、前記下部ベアリングと前記回収配管とを接続する第２の回収通路とからなり、前記回収配管に接続されたマイクロフォグ回収部で前記上部ベアリング及び下部ベアリングを通過したマイクロフォグを回収することを特徴とするマイクロフォグ回収装置。
【発明の詳細な説明】
【０００１】
【発明の属する技術分野】
本発明は、ヘッドの回転軸にマイクロフォグを供給して循環するようにしたＮＣマシンのヘッドの回転軸のマイクロフォグ回収装置に関するものである。
【０００２】
【従来の技術】
従来、この種のＮＣマシンは、図３に示すように、クロスビーム１にヘッド２を設けたヘッド構造体３が装着され、このヘッド構造体３はクロスビーム１に沿って移動可能に装着され、又、クロスビーム１の下部にテーブル４が装着され、このテーブル４に被加工物が装着され、テーブル４がクロスビーム１に対して前後に移動するか、クロスビームが移動するように構成され、又、ヘッド２にそれぞれ供給配管６を介してマイクロフォグ発生装置５が接続されている。
【０００３】
又、図４に示すように、ヘッド２の支持部材７にモータのステータ８が装着され、このステータ８に対向してローター９が回転軸１０に装着され、この回転軸１０は上部支持部材７ａに装着された上部ベアリング１１と下部支持部材７ｂに装着された下部ベアリング１２で支持され、回転軸１０の下部に工具を装着するホルダ１３が構成され、又、上部にモータに電力を供給するケーブル１４が接続され、支持部材７の下部にブラシ１５が接続されている。
【０００４】
そして、ヘッド２に接続された供給配管６は接続部１７でヘッド２の支持部材７に接続され、この支持部材７の上部支持部材７ａに形成した上部通路１６ａを通して上部ベアリング１１にマイクロフォグが供給され、さらに、支持部材７及び下部支持部材７ｂに形成した供給通路１６ｂを通して下部ベアリング１２にマイクロフォグが供給されている。
【０００５】
【発明が解決しようとする課題】
しかしながら、このようなＮＣマシンでは、上部ベアリング１１及び下部ベアリング１２は外気と通じており、供給通路１６ａ及び供給通路１６ｂを介して供給したマイクロフォグは上部ベアリング１１から外部に放出され、又、下部ベアリング１２から回転軸１００の下部の周囲を通ってブラシ１５の内側から外部に放出して上部ベアリング１１に粉塵が侵入するのを防止し、下部ベアリング１２に切粉が侵入するのを防止しているため、工場内がマイクロフォグで充満して汚染するとともに、人がマイクロフォグを呼吸することによって人体に悪影響を及ぼし、又、マイクロフォグが引火し易いために、火気に注意しなければならないという問題があった。
【０００６】
【課題を解決するための手段】
本発明は、ヘッドの支持部材に装着されたステータと、前記支持部材の上部の上部支持部材に装着された上部ベアリング及び前記支持部材の下部の下部支持部材に装着された下部ベアリングによって支持され、前記ステータに対向するロータを設け、下部に工具を保持するホルダが装着された回転軸と、前記上部支持部材に装着された接続部に接続される供給配管を介して接続されたマイクロフォグ供給装置と、前記接続部に接続され、前記上部ベアリングにマイクロフォグを供給するために、前記上部支持部材に形成された上部通路と、前記接続部に接続され、前記下部ベアリングにマイクロフォグを供給するために、前記支持部材及び下部支持部材に形成された下部通路と、前記上部ベアリングの端部に装着されたカバーと、前記下部ベアリングの下部の前記回転軸の周囲に装着されたアイソレータと、前記上部支持部材に装着された回収配管と、前記上部支持部材に形成され、前記上部ベアリングと前記回収配管に接続された第１の回収通路と、前記下部支持部材と前記支持部材に形成され、前記下部ベアリングと前記回収配管とを接続する第２の回収通路とからなり、前記回収配管に接続されたマイクロフォグ回収部で前記上部ベアリング及び下部ベアリングを通過したマイクロフォグを回収するものである。
【０００７】
【発明の実施の形態】
本発明では、ＮＣマシンのヘッドに装着された回転軸の上部ベアリング及び下部ベアリングにマイクロフォグを供給し、上部ベアリング及び下部ベアリングを外気と遮断して供給されたマイクロフォグを回収することにより、ヘッドからマイクロフォグが出ないので、工場内を汚すことがなく、人体に影響を与えず、火気を心配する必要がない。
【０００８】
【実施例】
図１は本発明の１実施例のＮＣマシンのマイクロフォグ回収装置の構成図、図２は図１のヘッドの断面図で、１はクロスビーム、２はヘッド、３はヘッド構造体、４はテーブル、５はマイクロフォグ発生装置、６は供給配管、７は支持部材、８はモータのステータ、９はロータ、１０は回転軸、１１は上部ベアリング、１２は下部ベアリング、１３は工具ホルダ、１４はケーブル、１５はブラシ、１６ａ、１６ｂは供給通路、１７は接続部であり、これらの構成は上記従来例と同じであるので、説明は省略するが、本実施例では、ヘッド２に回収配管１８が接続され、回収配管１８にマイクロフォグ回収部１９が接続され、又、ヘッド２は上部ベアリング１１の上部の回転軸１０の先端にカバー２０が装着され、さらに、下部ベアリング１２の下部の回転軸１０の周囲にアイソレータ２１が装着され、又、支持部材７の上部に回収配管１８を接続する接続部２２が装着され、接続部２２から上部支持部材７ａに上部ベアリング１１からマイクロフォグを回収する回収通路２３ａが形成され、さらに、接続部２２から支持部材７及び下部支持部材７ｂに下部ベアリング１２からマイクロフォグを回収する回収通路２３ｂが形成されている。
【０００９】
このように構成された本実施例のマイクロフォグ回収装置では、ヘッド２の回転軸１０は上部ベアリング１１がベアリングカバー２０で外気と遮断され、下部ベアリング１２をアイソレータ２１で外気と遮断され、上部ベアリング１１及び下部ベアリング１２に供給されたマイクロフォグは回収通路２３ａ、２３ｂ及び回収配管１８を介してマイクロフォグ回収部１９で回収されるので、ヘッド２からマイクロフォグが排出されることがないので、工場内を汚すことがなく、人体に悪影響を与えず、火気に心配する必要がない。
【００１０】
なお、上記実施例では、ヘッド構造体３に４つのヘッドを装着した例を説明したが、１つのヘッドでもよいし、４つ以上のヘッドを装着し、それぞれにマイクロフォグ発生装置５及びマイクロフォグ回収部１９を接続すればよい。
【００１１】
【発明の効果】
以上説明したように、本発明のＮＣマシンのヘッドの回転軸のマイクロフォグ回収装置では、上部ベアリングがベアリングカバーで外気と遮断され、下部ベアリングはアイソレータで外気と遮断され、上部ベアリング及び下部ベアリングに供給されたマイクロフォグは回収通路及び回収配管を介して回収装置で回収されるので、ヘッドからマイクロフォグが排出されることがなく、従って、工場内を汚すことがなく、又、人体に悪影響を与えず、火気に心配する必要がないという利点がある。
【図面の簡単な説明】
【図１】  本発明の１実施例のＮＣマシンのヘッドヘッドの回転軸のミストオイル供給装置の構成図である。
【図２】  図１のヘッドの断面図である。
【図３】  従来のＮＣマシンのマイクロフォグ供給装置の構成図である。
【図４】  図３のヘッドの断面図である。
【符号の説明】
１              クロスビーム
２              ヘッド
３              ヘッド構造体
４              テーブル
５              マイクロフォグ発生装置
６              供給配管
７              支持部材
７ａ            上部支持部材
７ｂ            下部支持部材
８              ステータ
９              ロータ
１０            回転軸
１１            上部ベアリング
１２            下部ベアリング
１３            工具ホルダ
１４            ケーブル
１５            ブラシ
１６ａ、１６ｂ  供給通路
１７            接続部
１８            回収配管
１９            回収装置
２０            カバー
２１            アイソレータ
２２            接続部
２３ａ、２３ｂ  回収通路
【図１】
0003635366.tif 000002
【図２】
0003635366.tif 000003
【図３】
0003635366.tif 000004
【図４】
0003635366.tif 000005